(57)【特許請求の範囲】
【請求項１】
利用者を被写体とする撮影作業を行わせる撮影部と、
前記撮影作業により得られた前記利用者の撮影画像に対して編集情報を入力する編集作業を行わせる編集部と、
得られた編集済みの前記利用者の編集済画像を所定のシール紙に印刷し、印刷された前記シール紙を排出し、写真シールとして前記利用者に提供する印刷部と、
前記撮影画像または前記編集済画像を他の装置に供給する供給手段と
を備え、
前記編集部で表示される第１の画像、前記印刷部で印刷される第２の画像、および前記他の装置で表示される第３の画像は、それぞれ同一の前記撮影画像または前記編集済画像であり、それぞれ少なくとも一部分の色または明るさの少なくともいずれかの色味が異なる画像とされ、
前記第１乃至第３の画像は、それぞれ前記撮影画像に、合成用画像が合成された画像であり、
前記合成用画像は、前記第１乃至第３の画像毎に用意され、
前記第２の画像用の前記合成用画像は、前記シール紙に印刷されたときに、前記第１の画像の前記合成用画像と略同一の色味になるように前記第１の画像の前記合成用画像が変換された画像であり、
前記第３の画像用の前記合成用画像は、前記他の装置で表示されたときに、前記第１の画像の前記合成用画像と略同一の色味になるように前記第１の画像の前記合成用画像が変換された画像である
情報処理装置。
【請求項２】
前記第３の画像用の前記合成用画像は、前記他の装置の機種毎に用意されている
請求項１に記載の情報処理装置。
【請求項３】
前記変換は、前記他の装置の機種毎のパラメータが組み込まれた所定のアプリケーションで行われる
請求項１に記載の情報処理装置。
【請求項４】
前記供給手段は、前記撮影画像と前記第１の画像用の前記合成用画像を所定のサーバに供給し、
前記所定のサーバは、前記アプリケーションに基づく処理で、前記第１の画像用の前記合成用画像を前記第３の画像用の前記合成用画像に変換し、前記撮影画像に合成し、前記第３の画像を生成し、前記他の装置に供給する
請求項３に記載の情報処理装置。
【請求項５】
前記供給手段は、前記撮影画像と前記第１の画像用の前記合成用画像を前記他の装置に供給し、
前記他の装置は、前記アプリケーションに基づく処理で、前記第１の画像用の前記合成用画像を前記第３の画像用の前記合成用画像に変換し、前記画像に合成し、前記第３の画像を生成する
請求項３に記載の情報処理装置。
【請求項６】
前記第３の画像用の前記合成用画像は、前記他の装置が前記アプリケーションに基づく処理として、前記他の装置の利用者により選択される
請求項３に記載の情報処理装置。
【請求項７】
前記合成用画像は、前記利用者の背景となる背景画像と、前記利用者の前景となる前景画像のうちの少なくとも一方を含む画像であり、
前記一部分は、前記背景画像、前記前景画像、および前記被写体の画像のうちの少なくとも１つである
請求項１乃至６のいずれかに記載の情報処理装置。
【請求項８】
利用者を被写体とする撮影作業を行わせ、
前記撮影作業により得られた前記利用者の撮影画像に対して編集情報を入力する編集作業を行わせ、
得られた編集済みの前記利用者の編集済画像を所定のシール紙に印刷し、印刷された前記シール紙を排出し、写真シールとして前記利用者に提供し、
前記撮影画像または前記編集済画像を他の装置に供給する
ステップを含み、
前記編集作業時に表示される第１の画像、前記写真シール紙に印刷される第２の画像、および前記他の装置で表示される第３の画像は、それぞれ同一の前記撮影画像または前記編集済画像であり、それぞれ少なくとも一部分の色または明るさの少なくともいずれかの色味が異なる画像とされ、
前記第１乃至第３の画像は、それぞれ前記撮影画像に、合成用画像が合成された画像であり、
前記合成用画像は、前記第１乃至第３の画像毎に用意され、
前記第２の画像用の前記合成用画像は、前記シール紙に印刷されたときに、前記第１の画像の前記合成用画像と略同一の色味になるように前記第１の画像の前記合成用画像が変換された画像であり、
前記第３の画像用の前記合成用画像は、前記他の装置で表示されたときに、前記第１の画像の前記合成用画像と略同一の色味になるように前記第１の画像の前記合成用画像が変換された画像である
情報処理方法。
【請求項９】
利用者を被写体とする撮影作業を行わせ、
前記撮影作業により得られた前記利用者の撮影画像に対して編集情報を入力する編集作業を行わせ、
得られた編集済みの前記利用者の編集済画像を所定のシール紙に印刷し、印刷された前記シール紙を排出し、写真シールとして前記利用者に提供し、
前記撮影画像または前記編集済画像を他の装置に供給する
ステップを含み、
前記編集作業時に表示される第１の画像、前記写真シール紙に印刷される第２の画像、および前記他の装置で表示される第３の画像は、それぞれ同一の前記撮影画像または前記編集済画像であり、それぞれ少なくとも一部分の色または明るさの少なくともいずれかの色味が異なる画像とされ、
前記第１乃至第３の画像は、それぞれ前記撮影画像に、合成用画像が合成された画像であり、
前記合成用画像は、前記第１乃至第３の画像毎に用意され、
前記第２の画像用の前記合成用画像は、前記シール紙に印刷されたときに、前記第１の画像の前記合成用画像と略同一の色味になるように前記第１の画像の前記合成用画像が変換された画像であり、
前記第３の画像用の前記合成用画像は、前記他の装置で表示されたときに、前記第１の画像の前記合成用画像と略同一の色味になるように前記第１の画像の前記合成用画像が変換された画像である
処理を実行するコンピュータ読み取り可能なプログラム。
【発明の詳細な説明】
【技術分野】
【０００１】
本発明は、特に、携帯端末に応じた写りの画像を提供することができるようにした情報処理装置、および情報処理方法、並びにプログラムに関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。写真シール作成装置によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００３】
近年、携帯電話機などの携帯端末の性能が向上していることもあって、写真シール作成装置と携帯端末を連動させた付加的なサービスが各種提供されている。例えば、写真シール作成装置からサーバに撮影画像や編集画像をアップロードしておき、後から、写真シール作成装置のメーカーが運営するサイトに携帯端末からアクセスすることによって、アップロードしておいた画像を携帯端末上で閲覧したり、携帯端末にダウンロードしたりすることができるサービスがある。携帯端末の利用者は、ダウンロードした画像を携帯端末の待受画面に設定するなどして、写真シール作成装置を使って作成した画像を携帯端末上で利用することができる。
【０００４】
特許文献１には、個人の紹介をするウェブページであるいわゆるプロフに掲載するための画像である携帯プロフ用画像を作成する機能を有する写真シール作成装置が開示されている。携帯プロフ用画像の作成は、写真シール作成装置で撮影することによって得られた撮影画像、または撮影画像に編集を施して得られた編集画像の特定領域をトリミングするようにして行われる。
【０００５】
特許文献２には、複数の撮影画像もしくは編集画像を組み合せて、携帯端末の待受画面に設定するための１枚の画像を作成する機能を有する写真シール作成装置が開示されている。
【０００６】
特許文献３には、縦横比が異なるトリミング用の設定枠を複数用意しておき、利用者が好みの縦横比の設定枠を選択して撮影画像もしくは編集画像のトリミングを行い、携帯送信用画像を作成する機能を有する写真シール作成装置が開示されている。
【０００７】
これらの写真シール作成装置においては、明るさ等の写りの設定を撮影前に行うようになっている。利用者は、各種の設定を行ってから撮影を行い、撮影画像もしくは編集画像を元に、サーバ経由で自分の携帯端末に送信するための画像を作成することになる。
【先行技術文献】
【特許文献】
【０００８】
【特許文献１】特開２０１０−１５４４５２号公報
【特許文献２】特開２０１０−１５４４５３号公報
【特許文献３】特開２０１１−０１９０７２号公報
【発明の概要】
【発明が解決しようとする課題】
【０００９】
写真シール作成装置からサーバにアップロードしておいた画像を携帯端末上で見たときに、写真シール作成装置のモニタでの見え方と携帯端末のモニタでの見え方が異なることによって、自分が想定していないコントラスト、明るさ、色の濃淡、色相、彩度、明度（以下、色味と称する）の画像になっていることがある。想定していない色味や明るさの画像を提供してしまうことは、利用者の満足度を低下させることに繋がる。
【００１０】
本発明はこのような状況に鑑みてなされたものであり、携帯端末に応じた写りの画像を提供することができるようにするものである。
【課題を解決するための手段】
【００１１】
本技術の一側面の情報処理装置は、利用者を被写体とする撮影作業を行わせる撮影部と、前記撮影作業により得られた前記利用者の撮影画像に対して編集情報を入力する編集作業を行わせる編集部と、得られた編集済みの前記利用者の編集済画像を所定のシール紙に印刷し、印刷された前記シール紙を排出し、写真シールとして前記利用者に提供する印刷部と、前記撮影画像または前記編集済画像を他の装置に供給する供給手段とを備え、前記編集部で表示される第１の画像、前記印刷部で印刷される第２の画像、および前記他の装置で表示される第３の画像は、それぞれ同一の前記撮影画像または前記編集済画像であり、それぞれ少なくとも一部分の色または明るさの少なくともいずれかの色味が異なる画像とされ、前記第１乃至第３の画像は、それぞれ前記撮影画像に、合成用画像が合成された画像であり、前記合成用画像は、前記第１乃至第３の画像毎に用意され、前記第２の画像用の前記合成用画像は、前記シール紙に印刷されたときに、前記第１の画像の前記合成用画像と略同一の色味になるように前記第１の画像の前記合成用画像が変換された画像であり、前記第３の画像用の前記合成用画像は、前記他の装置で表示されたときに、前記第１の画像の前記合成用画像と略同一の色味になるように前記第１の画像の前記合成用画像が変換された画像である。
【００１３】
前記第３の画像用の前記合成用画像は、前記他の装置の機種毎に用意されているようにすることができる。
【００１５】
前記変換は、前記他の装置の機種毎のパラメータが組み込まれた所定のアプリケーションで行われるようにすることができる。
【００１６】
前記供給手段は、前記撮影画像と前記第１の画像用の前記合成用画像を所定のサーバに供給し、前記所定のサーバは、前記アプリケーションに基づく処理で、前記第１の画像用の前記合成用画像を前記第３の画像用の前記合成用画像に変換し、前記撮影画像に合成し、前記第３の画像を生成し、前記他の装置に供給するようにすることができる。
【００１７】
前記供給手段は、前記撮影画像と前記第１の画像用の前記合成用画像を前記他の装置に供給し、前記他の装置は、前記アプリケーションに基づく処理で、前記第１の画像用の前記合成用画像を前記第３の画像用の前記合成用画像に変換し、前記画像に合成し、前記第３の画像を生成するようにすることができる。
【００１８】
前記第３の画像用の前記合成用画像は、前記他の装置が前記アプリケーションに基づく処理として、前記他の装置の利用者により選択されるようにすることができる。
【００１９】
前記合成用画像は、前記利用者の背景となる背景画像と、前記利用者の前景となる前景画像のうちの少なくとも一方を含む画像であり、前記一部分は、前記背景画像、前記前景画像、および前記被写体の画像のうちの少なくとも１つであるようにすることができる。
【００２０】
本技術の一側面の情報処理方法は、利用者を被写体とする撮影作業を行わせ、前記撮影作業により得られた前記利用者の撮影画像に対して編集情報を入力する編集作業を行わせ、得られた編集済みの前記利用者の編集済画像を所定のシール紙に印刷し、印刷された前記シール紙を排出し、写真シールとして前記利用者に提供し、前記撮影画像または前記編集済画像を他の装置に供給するステップを含み、前記編集作業時に表示される第１の画像、前記写真シール紙に印刷される第２の画像、および前記他の装置で表示される第３の画像は、それぞれ同一の前記撮影画像または前記編集済画像であり、それぞれ少なくとも一部分の色または明るさの少なくともいずれかの色味が異なる画像とされ、前記第１乃至第３の画像は、それぞれ前記撮影画像に、合成用画像が合成された画像であり、前記合成用画像は、前記第１乃至第３の画像毎に用意され、前記第２の画像用の前記合成用画像は、前記シール紙に印刷されたときに、前記第１の画像の前記合成用画像と略同一の色味になるように前記第１の画像の前記合成用画像が変換された画像であり、前記第３の画像用の前記合成用画像は、前記他の装置で表示されたときに、前記第１の画像の前記合成用画像と略同一の色味になるように前記第１の画像の前記合成用画像が変換された画像である。
【００２１】
本技術の一側面のプログラムは、利用者を被写体とする撮影作業を行わせ、前記撮影作業により得られた前記利用者の撮影画像に対して編集情報を入力する編集作業を行わせ、得られた編集済みの前記利用者の編集済画像を所定のシール紙に印刷し、印刷された前記シール紙を排出し、写真シールとして前記利用者に提供し、前記撮影画像または前記編集済画像を他の装置に供給するステップを含み、前記編集作業時に表示される第１の画像、前記写真シール紙に印刷される第２の画像、および前記他の装置で表示される第３の画像は、それぞれ同一の前記撮影画像または前記編集済画像であり、それぞれ少なくとも一部分の色または明るさの少なくともいずれかの色味が異なる画像とされ、前記第１乃至第３の画像は、それぞれ前記撮影画像に、合成用画像が合成された画像であり、前記合成用画像は、前記第１乃至第３の画像毎に用意され、前記第２の画像用の前記合成用画像は、前記シール紙に印刷されたときに、前記第１の画像の前記合成用画像と略同一の色味になるように前記第１の画像の前記合成用画像が変換された画像であり、前記第３の画像用の前記合成用画像は、前記他の装置で表示されたときに、前記第１の画像の前記合成用画像と略同一の色味になるように前記第１の画像の前記合成用画像が変換された画像である処理を実行する。
【００２２】
本技術の一側面の情報処理装置、情報処理方法、並びにプログラムにおいては、利用者を被写体とする撮影作業を行わせ、撮影作業により得られた利用者の撮影画像に対して編集情報を入力する編集作業を行わせ、得られた編集済みの利用者の編集済画像が所定のシール紙に印刷され、利用者に提供され、撮影画像または編集済画像が他の装置に供給される。また編集作業時に表示される第１の画像、写真シール紙に印刷される第２の画像、および他の装置で表示される第３の画像は、それぞれ同一の撮影画像または編集済画像であり、それぞれ少なくとも一部分の色または明るさの少なくともいずれかの色味が異なる画像とされる。また、第１乃至第３の画像は、それぞれ撮影画像に、合成用画像が合成された画像であり、合成用画像は、第１乃至第３の画像毎に用意され、第２の画像用の合成用画像は、シール紙に印刷されたときに、第１の画像の合成用画像と略同一の色味になるように第１の画像の合成用画像が変換された画像であり、第３の画像用の合成用画像は、他の装置で表示されたときに、第１の画像の合成用画像と略同一の色味になるように第１の画像の合成用画像が変換された画像である。
【発明の効果】
【００２３】
本技術の一側面によれば、携帯端末に応じた写りの画像を提供することができる。
【図面の簡単な説明】
【００２４】
【図１】本発明の一実施形態に係る情報処理システムの構成例を示す図である。
【図２】写真シール作成装置の外観の構成例を示す斜視図である。
【図３】写真シール作成装置の外観を他の角度からみた斜視図である。
【図４】利用者の移動について説明する図である。
【図５】撮影部の構成例を示す図である。
【図６】背景部の構成例を示す図である。
【図７】編集部の構成例を示す図である。
【図８】事後接客部の構成例を示す図である。
【図９】写真シール作成装置の内部の構成例を示すブロック図である。
【図１０】写真シール作成装置の機能構成例を示すブロック図である。
【図１１】管理サーバの構成例を示すブロック図である。
【図１２】管理サーバの機能構成例を示すブロック図である。
【図１３】携帯端末の構成例を示すブロック図である。
【図１４】情報処理システムの処理について説明するフローチャートである。
【図１５】撮影処理の詳細な処理について説明するフローチャートである。
【図１６】写真シール作成装置に表示される画面例である。
【図１７】編集処理の詳細な処理について説明するためのフローチャートである。
【図１８】データベースの構成例を示す図である。
【図１９】携帯端末に表示される画面例である。
【図２０】色味変換について説明するための図である。
【図２１】合成について説明するための図である。
【図２２】データベースの構成例を示す図である。
【図２３】パラメータについて説明するための図である。
【図２４】色味変換について説明するための図である。
【図２５】合成について説明するための図である。
【図２６】データベースの構成例を示す図である。
【図２７】データベースの構成例を示す図である。
【図２８】情報処理システムの処理について説明するフローチャートである。
【図２９】情報処理システムの処理について説明するフローチャートである。
【図３０】携帯端末に表示される画面例である。
【発明を実施するための形態】
【００２５】
以下に、本技術の実施の形態について図面を参照して説明する。
【００２６】
［情報処理システムの構成例］
図１は、本発明の一実施形態に係る情報処理システムの構成例を示す図である。図１の情報処理システムは、写真シール作成装置１、携帯端末２、および管理サーバ３から構成される。携帯端末２は、写真シール作成装置１が提供するゲームを行い、シール紙を受け取る利用者が携帯している携帯電話機などの端末であり、管理サーバ３は、例えば写真シール作成装置１のメーカーが管理する情報処理装置である。
【００２７】
写真シール作成装置１には、非接触型ICとの間で近接通信を行うリーダ／ライタが設けられ、携帯端末２には非接触型ICが内蔵されている。図１の情報処理システムにおいて、写真シール作成装置１と携帯端末２の間の情報の送受信は、携帯端末２が写真シール作成装置１のリーダ／ライタにかざされたときに、非接触型ICを用いた近接通信により行われる。写真シール作成装置１と管理サーバ３の間、携帯端末２と管理サーバ３の間の情報の送受信は、インターネットなどのネットワークを介して行われる。
【００２８】
写真シール作成装置１には携帯送信の機能が用意されている。携帯端末２の利用者は、写真シール作成装置１が提供する写真シール作成ゲームにおいて携帯送信の機能を利用することができる。
【００２９】
携帯送信は、写真シール作成装置１で作成した画像が携帯端末２で見ることができるように、写真シール作成装置１で作成した画像を管理サーバ３に送信する機能である。例えば撮影画像の編集が終了したとき、利用者は、写真シール作成装置１の画面に表示される画像の中から、管理サーバ３に保存しておく画像を選択する。
【００３０】
利用者により選択された画像は、利用者により入力されたメールアドレスとともに管理サーバ３に送信され、管理サーバ３が有する記憶媒体に保存（記憶）される。保存先を表すURLを含む電子メールが管理サーバ３から携帯端末２に送信され、利用者が携帯端末２を操作して電子メールに含まれるURLに対するアクセスを指示したとき、URLに基づいてアクセスが行われ、写真シール作成装置１から管理サーバ３に送信しておいた画像が携帯端末２のモニタに表示される。
【００３１】
携帯端末２の利用者は、携帯端末２のモニタに表示させた画像を待ち受け画面に設定したりすることができる。
【００３２】
情報処理システムの一連の動作については後述する。
【００３３】
［写真シール作成装置の構成例］
図２は、本発明の一実施形態に係る写真シール作成装置１の外観の構成例を示す斜視図である。
【００３４】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００３５】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３６】
写真シール作成装置１は、主に、後述する撮影空間内に設けられた撮影ユニット１１、編集部１２、および事後接客部１３から構成される。撮影ユニット１１と編集部１２が接した状態で設置され、編集部１２と事後接客部１３が接した状態で設置される。
【００３７】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３８】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３９】
なお、利用者の操作入力を受け付けるタッチパネルモニタとは別に、利用者のライブビュー（動画像）を表示するライブビューモニタが設けられるようにしてもよい。
【００４０】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂから構成される。
【００４１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４２】
撮影部２１の側面パネル４２Ａ、連結部２３Ａ、および背景部２２の側面パネル５２Ａに囲まれることによって形成される開口が撮影空間の出入り口Ｇ１となる。出入り口Ｇ１の反対側に位置し、撮影部２１の側面パネル４２Ｂ、連結部２３Ｂ、および背景部２２の側面パネル５２Ｂに囲まれることによって形成される開口も撮影空間の出入り口Ｇ２となる。
【００４３】
背景部２２の上部には、背面パネル５１、側面パネル５２Ａ、および側面パネル５２Ａの反対側に位置する側面パネル５２Ｂによって支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４４】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、後述する編集処理において、利用者が所望する背景画像をカーテンの部分に合成することができるようにしてもよい。
【００４５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４６】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４７】
図２に示す編集部１２の構成を正面側の構成とすると、２組の利用者が同時に編集処理を行うことができるように、編集部１２の正面側と背面側には編集処理に用いられる構成がそれぞれ設けられる。
【００４８】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂが設けられる。
【００４９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５０】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００５１】
図３は、写真シール作成装置１を別の角度から見た斜視図である。
【００５２】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００５３】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００５４】
ここで、写真シール作成ゲームの流れと、それに伴う利用者の移動について図４を参照して説明する。図４は、写真シール作成装置１を上から見た平面図である。
【００５５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５６】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５８】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５９】
画像の印刷が終了したとき、利用者は、事後接客部１３に設けられた排出口からシール紙を受け取り、一連の写真シール作成ゲームを終えることになる。
【００６０】
次に、装置の各部の構成について説明する。
【００６１】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００６２】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００６３】
正面パネル４１のほぼ中央には撮影・表示ユニット８１が設けられる。撮影・表示ユニット８１は、カメラ９１、正面ストロボ９２、およびタッチパネルモニタ９３から構成される。
【００６４】
カメラ９１は、ＣＣＤ (Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００６５】
カメラ９１を囲むように発光面が設けられた正面ストロボ９２は、他のストロボと同様にカメラ９１による撮影に合わせて発光し、被写体としての利用者の顔付近を正面から照射する。
【００６６】
カメラ９１の下側に設けられたタッチパネルモニタ９３は、ＬＣＤ(Liquid Crystal Display)などのモニタと、それに積層されたタッチパネルにより構成される。タッチパネルモニタ９３は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９３には、適宜、背景等の画像が合成された後の動画像が表示される。
【００６７】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６８】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６９】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００７０】
足元ストロボ８６の右側には、利用者がお金を投入する硬貨投入返却口８７が設けられる。
【００７１】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００７２】
図６は、背景部２２の撮影空間Ａ１側の構成例を示す図である。
【００７３】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１−１および背面中央ストロボ１０１−２が取り付けられる。
【００７４】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７５】
図７は、編集部１２の正面側（編集空間Ａ２−１側）の構成例を示す図である。
【００７６】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７７】
タブレット内蔵モニタ１３１は、タッチペン１３２Ａまたは１３２Ｂを用いて操作入力が可能なタブレットがＬＣＤなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７８】
編集部１２の左側には事後接客部１３が設けられる。
【００７９】
図８は、事後接客部１３の正面側の構成例を示す図である。
【００８０】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客処理に用いられる画面が表示される。
【００８１】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００８２】
非接触型ICリーダ／ライタ１６３は、近接された非接触型ICと通信を行い、非接触型ICからのデータの読み出しや非接触型ICに対するデータの書き込みを行う。
【００８３】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８４】
スピーカ１６５は、事後接客処理の案内音声、ＢＧＭ、効果音等の音を出力する。
【００８５】
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００８６】
制御部２０１はＣＰＵ (Central Processing Unit)などよりなり、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ (Random Access Memory)２０７が接続される。制御部２０１には、撮影部２１、編集部１２、事後接客部１３、および印刷部２１１の各構成も接続される。
【００８７】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８８】
通信部２０３はインターネットなどのネットワークのインタフェースであり、制御部２０１による制御に従って外部の装置と通信を行う。
【００８９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９０】
ＲＯＭ２０６には、制御部２０１において実行されるプログラムやデータが記憶されている。ＲＡＭ２０７は、制御部２０１が処理するデータやプログラムを一時的に記憶する。
【００９１】
撮影部２１は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００９２】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００９３】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９４】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１−１、背面中央ストロボ１０１−２、背面左ストロボ１０２，背面右ストロボ１０３が設けられる。各ストロボの内部には蛍光灯も設けられる。
【００９５】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００９６】
カメラ９１は、制御部２０１による制御に従って撮影を行い、撮影によって得られた画像を制御部２０１に出力する。
【００９７】
編集部１２Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部１２Ｂも編集部１２Ａと同一の構成を有しており、編集空間Ａ２−２における編集処理を行う。
【００９８】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９９】
事後接客部１３は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【０１００】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいる利用者を相手とした処理を行う構成となる。
【０１０１】
なお、写真シール作成ゲームにおいて作成された画像の用途は、シール紙に印刷されるのみに限られない。例えば、通信部２０３、非接触型ICリーダ／ライタ１６３などを介して写真シール作成ゲームにおいて作成された画像の画像データが利用者の携帯端末などに送信され、携帯端末においてそれらの画像を表示させることも可能である。例えば、利用者は、写真シール作成ゲームにおいて作成された画像を、携帯電話機の待受け画面の画像として利用することもできる。
【０１０２】
次に、制御部２０１について説明する。図１０は、制御部２０１がＲＯＭ２０６などに格納されているプログラムを実行することにより実現される機能ブロックの構成例を示している。
【０１０３】
制御部２０１は、写真シール作成ゲームを開始する際に投入される代金に関する処理や利用者グループを撮影する等の写真シール作成ゲームの撮影作業の工程に関する処理を行う撮影処理部２８２、撮影画像に対する落書き編集等の写真シール作成ゲームの編集作業の工程に関する処理を行う編集処理部２８３、シール紙の印刷等の写真シール作成ゲームの印刷の工程に関する処理を行う印刷処理部２８４、および、編集作業を終了した利用者グループを接客する写真シール作成ゲームの事後接客の工程に関する処理を行う事後接客処理部２８５を有する。
【０１０４】
すなわち制御部２０１は、写真シール作成ゲームの各工程に関する処理の制御を行う。
【０１０５】
［管理サーバの構成例］
図１１は、管理サーバ３の構成例を示すブロック図である。CPU(Central Processing Unit)３１１、ROM３１２、RAM３１３は、バス３１４により相互に接続される。
【０１０６】
バス３１４には、さらに、入出力インタフェース３１５が接続される。入出力インタフェース３１５には、キーボード、マウスなどよりなる入力部３１６、ディスプレイ、スピーカなどよりなる出力部３１７が接続される。また、入出力インタフェース３１５には、ハードディスクや不揮発性のメモリなどより構成され、各種の情報を記憶する記憶部３１８、ネットワークインタフェースなどより構成され、写真シール作成装置１や携帯端末２と通信を行う通信部３１９、リムーバブルメディア３２１を駆動するドライブ３２０が接続される。
【０１０７】
記憶部３１８には、写真シール作成装置１から送信されてきた画像を携帯端末２に適した色味などに変換するための携帯端末２用の前景や背景の画像、前景や背景画像の画像データ、そのような色味の調整を行うアプリケーション、そのような写りの調整に用いられるパラメータのうちのいずれかが少なくとも記憶される。
【０１０８】
管理サーバ３は、携帯端末２に適した色味の前景や背景の画像を管理し、１枚の画像を元画像として、携帯端末２に適した色味の合成画像を作成し、携帯端末２に提供する（第１の実施の形態とする）。または、管理サーバ３は、アプリケーションを管理し、そのアプリケーションにより、１枚の画像を元画像とし、携帯端末２に適した色味の合成画像を作成し、携帯端末２に提供する（第２の実施の形態とする）。第２の実施の形態の場合、管理サーバ３で管理しているアプリケーションを、携帯端末２がダウンロードし、携帯端末２側で色味の調整を行うようにしても良い。以下、適宜、所定の画像を元画像とし、元画像の写りを調整することによって得られる画像を写り画像という。
【０１０９】
管理サーバ３により作成された写り画像も記憶部３１８に記憶され、所定のタイミングで携帯端末２に提供される。
【０１１０】
また、記憶部３１８には、写真シール作成装置１から送信されてきた画像、画像の識別情報である撮影画像ＩＤ、携帯端末２のメールアドレスなどの情報が携帯端末ＩＤと紐付けて記憶され、管理される。撮影画像ＩＤは、例えば写真シール作成装置１に割り当てられたＩＤ、日付、連番を組み合わせて構成される。
【０１１１】
図１２は、管理サーバ３の機能構成例を示すブロック図である。図１２に示す機能部のうちの少なくとも一部は、図１２のCPU３１１により所定のプログラムが実行されることによって実現される。管理サーバ３においては、情報管理部３５１と写り画像作成部３５２が実現される。
【０１１２】
情報管理部３５１は、写真シール作成装置１から送信されてきた画像を取得し、取得した画像に保存先となるURLを割り当て、記憶部３１８に記憶させる。情報管理部３５１は、通信部３１９を制御し、画像保存先URLを含む電子メールを携帯端末２に送信する。また、情報管理部３５１は、上述したような撮影画像ＩＤ、携帯端末２のメールアドレスなどの情報を記憶部３１８に記憶させ、携帯端末ＩＤと紐付けて管理する。情報管理部３５１は、画像管理サイトを管理し、画像管理サイトにアクセスしてきた携帯端末２に写り画像を提供するなどの各種の処理を行う。
【０１１３】
写り画像作成部３５２は、所定の画像を元画像とし、元画像の写りを調整することによって得られる写り画像を生成する。
【０１１４】
写真シール作成装置１との通信、および携帯端末２との通信は、それぞれ、情報管理部３５１、写り画像作成部３５２により通信部３１９が制御されることによって行われる。
【０１１５】
［携帯端末の構成例］
図１３は、携帯端末２の構成例を示すブロック図である。携帯端末２は、制御部４０１、アンテナ４０２、通信部４０３、記憶部４０４、表示部４０５、非接触型IC４０６、および操作部４０７から構成される。
【０１１６】
制御部４０１は、CPU，ROM，RAMなどよりなり、所定のプログラムを実行し、携帯端末２の全体の動作を制御する。例えば、制御部４０１は、通信部４０３を制御して管理サーバ３と通信を行い、非接触型IC４０６を制御して写真シール作成装置１と通信を行う。
【０１１７】
通信部４０３は、基地局から送信された電波が受信されることに応じてアンテナ４０２から供給された信号の復調処理を行い、復調処理を行うことによって得られた情報を制御部４０１に出力する。また、通信部４０３は、制御部４０１から供給された情報に対して変調処理を施し、得られた信号をアンテナ４０２から送信する。
【０１１８】
記憶部４０４はフラッシュメモリなどよりなり、携帯端末ＩＤ、メールアドレスなどの各種の情報を記憶する。
【０１１９】
表示部４０５はLCDなどよりなり、各種の情報を表示する。例えば表示部４０５には、管理サーバ３から送信されてきた画像であり、写真シール作成装置１から管理サーバ３に送信された画像であり、写りの調整が行われた画面が表示される。
【０１２０】
非接触型IC４０６は、写真シール作成装置１の非接触型ICリーダ／ライタ１６３との通信可能範囲にあるとき、非接触型ICリーダ／ライタ１６３と近接通信を行う。非接触型IC４０６は、記憶部４０４から読み出され、制御部４０１から供給された携帯端末ＩＤを非接触型ICリーダ／ライタ１６３に送信する。
【０１２１】
操作部４０７は各種のボタンや表示部４０５に重ねて設けられたタッチパネルより構成され、利用者の操作の内容を表す信号を制御部４０１に出力する。
【０１２２】
［情報処理システムの動作］
ここで、図１４のフローチャートを参照して情報処理システムの処理について説明する。まず写真シール作成装置１または管理サーバ３が、携帯端末２に適した色味の前景や背景の画像を管理し、１枚の画像を元画像として、携帯端末２に適した色味の合成画像を作成し、携帯端末２に提供する第１の実施の形態における情報処理システムの動作について説明する。
【０１２３】
ステップＳ１１１において、写真シール作成装置１の制御部２０１の撮影処理部２８２は、所定の金額分の硬貨が投入されたか否かを硬貨処理部２２１から供給される信号に基づいて判定し、投入されたと判定するまで待機する。
【０１２４】
硬貨が投入されたとステップＳ１１１において判定された場合、ステップＳ１１２において、撮影処理部２８２は、撮影部２１を制御し、カメラ９１に取り込まれた被写体の動画像をタッチパネルモニタ９３にライブビュー表示させ、撮影空間Ａ１にいる利用者を被写体として撮影する撮影処理を行う。ステップＳ１１２における撮影処理について、図１５のフローチャートを参照して説明する。
【０１２５】
撮影処理が開始されると、ステップＳ２０１において、予め用意されている、撮影画像に合成される前景や背景の画像である合成用画像を選択させるための合成用画像選択画面（GUI）が、タッチパネルモニタ９３に表示される。なお、タッチパネルモニタ９３に合成用画像選択画面が表示させる前に、利用者に撮影コースを選択させるための撮影コース選択画面や、利用者に撮影テーマを選択させるための撮影テーマ選択画面が表示されるようにしてもよい。
【０１２６】
ステップＳ２０２において、ステップＳ２０１の処理で表示された合成用画像の中から、利用者による合成用画像の選択を所定枚数（例えば６枚）分受け付ける。図１７は、タッチパネルモニタ９３に表示される合成用画像選択画面としての背景選択画面の例を示している。図１７の背景選択画面は、４つの背景画像のテーマ「ノーマル」、「パターン」、「オーラ」、および「全身」それぞれのタブ５０１乃至５０４から構成されており、利用者により選択されたタブのテーマに対応する背景画像（モデルを被写体とした撮影画像に合成された背景画像）が表示される。
【０１２７】
図１６の例では、「ノーマル」に対応する背景画像が１５枚表示されている。利用者によって、背景画像が選択されると、その背景画像は選択背景画像表示領域５０５に表示されるようになる。
【０１２８】
図１５のフローチャートに戻り、ステップＳ２０３において、合成用画像とカメラ９１の取り込み画像が合成され、タッチパネルモニタ９３に表示（ライブビュー表示）される。ステップＳ２０４において、タッチパネルモニタ９３等にカウントダウンインジケータが表示され、カメラ９１が制御され、撮影が行われ、撮影画像が取得される。
【０１２９】
ステップＳ２０５において、撮影画像に合成用画像が合成され、合成画像が生成される。さらに、ステップＳ２０６において、生成された合成画像がタッチパネルモニタ９３等に表示され、利用者による合成画像（撮影結果）の確認が行われる。なお、以下においては、撮影結果としての合成画像を、単に撮影画像ともいう。
【０１３０】
ステップＳ２０７において、所定回数撮影したか否かが判定され、撮影枚数が予め定められている所定回数に達していない場合、処理は、ステップＳ２０３に戻され、それ以降の処理が繰り返される。例えば、合成用画像選択画面により選択された合成用画像のそれぞれと合成する撮影画像を得るための撮影が行われ、合計６回の撮影が行われた場合、ステップＳ２０７において所定回数撮影したと判定される。
【０１３１】
ステップＳ２０７において、所定回数撮影したと判定された場合、撮影処理は終了され、処理は、図１４のステップＳ１１２に戻る。ステップＳ１１２において撮影処理が終了されると、ステップＳ１１３において、撮影空間Ａ１にいる利用者に対して、編集空間Ａ２−１または編集空間Ａ２−２への移動が案内される。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１３２】
ステップＳ１１４において、編集空間Ａ２−１と編集空間Ａ２−２のうち、撮影処理を終えた利用者の移動先とした方の編集空間に対応する編集部１２が制御され、編集処理が行われる。このステップＳ１１４において実行される編集処理について、図２０のフローチャートを参照して説明する。
【０１３３】
編集処理は、実際には、編集空間Ａ２−１または編集空間Ａ２−２のうち、写真シール作成ゲームの撮影工程をプレイした利用者が移動した方の編集空間に対して実行されるが、いずれの編集空間に対する場合も同様の処理が実行されるので、以下においては説明の簡略化のため、利用者が編集空間Ａ２−１に移動したか編集空間Ａ２−２に移動したかを特に明言せずに、編集空間Ａ２に移動したものとして説明する。
【０１３４】
編集処理が開始されると、ステップＳ３０１において、撮影部２１によって得られた撮影画像を、用途情報とともに記憶部２０２から取得する。ステップＳ３０２において、記憶部２０２から取得された撮影画像が、タブレット内蔵モニタ１３１に表示されることで、それら複数枚（例えば６枚）の撮影画像を編集対象画像（キープ画像）として選択させる。
【０１３５】
ステップＳ３０３において、タブレット内蔵モニタ１３１に、シール紙のレイアウト（配置）を決定する写真シールの分割パターンを選択させる分割パターン選択画面を表示させ、利用者に分割パターンを選択させる。利用者が分割パターンを選択すると、タブレット内蔵モニタ１３１に編集開始ボタンのGUI画像が表示される。利用者は、タッチペン１３２を操作して、その編集開始ボタンを押下操作する。編集開始ボタンが押下操作されると、タブレット内蔵モニタ１３１に編集作業用のGUIである編集画面が表示されるので、利用者は落書き編集作業を開始することができる。
【０１３６】
そして、編集開始ボタンが操作されたと判定された場合、ステップＳ３０４において、タブレット内蔵モニタ１３１に、撮影画像に対する落書き編集を利用者に入力させるGUI画面である編集画面が表示される。
【０１３７】
ステップＳ３０５において、編集部２０９のタブレット内蔵モニタ１３１やタッチペン１３２が制御され、利用者による編集画面に対する落書き編集入力の受け付けが開始される。ステップＳ３０６において、タブレット内蔵モニタ１３１より供給される入力信号（すなわち、タッチペン１３２の位置情報）に基づいて、利用者による指示が入力されたか（GUIに対する操作が行われたか）否かが判定される。利用者等によりタッチペン１３２が操作され、タブレット内蔵モニタ１３１に対して位置情報が入力されたと判定した場合、処理はステップＳ３０７に進められ、入力座標に基づいて入力された指示内容が把握され、その指示に対応する処理が行われる。
【０１３８】
このような入力に対応する処理が終了されると、処理はステップＳ３０８に進められる。なお、ステップＳ３０６において指示が入力されていないと判定した場合、ステップＳ３０７の処理が省略され、ステップＳ３０８に処理が進められる。
【０１３９】
ステップＳ３０８において、所定の時間（制限時間）が経過したか、または、終了ボタンが操作されたか否かが判定され、制限時間にも達しておらず、終了ボタンも操作されていないと判定された場合、処理はステップＳ３０６に戻され、それ以降の処理が繰り返される。すなわち、所定の時間が経過した、または、終了ボタンが操作されたと判定されるまで、ステップＳ３０６乃至ステップＳ３０８の処理が繰り返され、落書き編集入力に対する処理が行われる。そして、ステップＳ３０８において、所定の時間が経過した、または、終了ボタンが操作されたと判定された場合、処理は、ステップＳ３０９に進められる。
【０１４０】
ステップＳ３０９において、落書き編集が行われた編集画像（落書き編集結果）を印刷用の画像を作成するために、印刷対象画像として保存する。なお、この「保存する」とは、単に編集結果である編集画像を印刷処理に提供することを示すものであり、実際に、データを、RAM２０７や記憶部２０２に保存するかしないかは任意である。
【０１４１】
ステップＳ３１０において、編集画面の表示を終了し、編集入力の受け付けを終了する。このような編集作業が行われているときに、タブレット内蔵モニタ１３１に表示される合成用画像は、撮影後、タブレット内蔵モニタ１３１の表示用に色味や明るさが変更されたものである。ステップＳ３１０の処理が終了されると、編集処理が終了され、処理が図１４のステップＳ１１４に戻し、ステップＳ１１５以降の処理が実行される。
【０１４２】
ステップＳ１１５において、変換、合成の処理が行われる。このステップＳ１１５における処理については、図２３以降を参照して説明するが、写真シール作成装置１で表示される画像、印刷される画像、携帯端末２で表示される画像のそれぞれが、同一となる（類似する）色味になるようにそれぞれの画像を変換したり、合成したりする処理である。この処理の結果、生成される画像が、写真シール作成装置１で表示されたり、印刷されたりし、携帯端末２で表示されたりする。ここでは、フローチャートの説明を進める。
【０１４３】
ステップＳ１１６において、編集処理部２８３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４４】
ステップＳ１１７において、印刷処理部２８４は、利用者により選択された画像をプリンタ２４１に出力してシール紙に印刷させる印刷処理を行う。なお、上記したように、シール紙に印刷された画像は、表示されていた画像と同じ色味の画像となるように、色味が調整された画像である。またそのように色味が同じとなるように、印刷用の色味と表示用の色味に関するデータを、それぞれ写真シール作成装置１は管理している。
【０１４５】
なお、一般的に、シール紙に印刷する画像の色味の調整は、プリンタ２４１の調整となるが、ここでは、表示されていた画像と同じ色味となるように、プリンタ２４１のドライバーの調整を行い、その調整結果を管理している。
【０１４６】
ステップＳ１１８において、事後接客処理部２８５は、事後接客部１３を制御し、印刷終了待機中の利用者に対する事後接客処理を行う。具体的には、事後接客処理部２８５は、撮影画像や編集済みの画像を携帯端末２に送信する携帯送信ゲーム処理を事後接客処理として行い、携帯端末の電子メールアドレスの入力画面や、送信する画像の選択画面をタブレット内蔵モニタ１６１に表示させ、利用者による操作に応じて画像を送信する。なお、以下で説明する携帯送信ゲーム処理においては、最大１枚の画像を携帯端末に送信することができるものとするが、携帯端末に送信される画像の枚数は１枚に限られない。
【０１４７】
印刷が終了すると、事後接客処理部２８５は、印刷が終了した旨をタブレット内蔵モニタ１６１に表示させ、プリンタ２４１は、画像が印刷されたシール紙をシール紙排出口１６４に排出し、処理を終了させる。またステップＳ１１９において、事後接客処理部２８５は、記憶部２０２から編集済み画像を読み出し、その編集済み画像をサーバ送信用画像として、それぞれのサーバ送信用画像にＩＤを設定する。事後接客処理部２８５は、サーバ送信用画像ＩＤとサーバ送信用画像を管理サーバ３に送信する。
【０１４８】
上記したように、携帯端末２に送信される撮影画像や編集済みの画像は、携帯端末２に適した色味の画像とされる。後述するように、写真シール作成装置１側で、携帯端末２に適した色味の画像に変換されてから管理サーバ３に送信されるようにしても良いし、変換前の画像が管理サーバ３に送信され、管理サーバ３側で携帯端末２に適した色味に変換されるようにしても良い。携帯端末２に適した色味の画像への変換は、携帯端末２に適した色味のパラメータを保持しておき、そのパラメータに応じて変換される。
【０１４９】
このように、写真シール作成装置１においては、撮影画像や編集済の画像が、写真シール作成装置１とは異なる他の装置、例えば管理サーバ３に対して供給される。また管理サーバ３から、さらに管理サーバ３とは異なる他の装置、例えば、携帯端末２に対して撮影画像や編集済の画像が送信される。なお、写真シール作成装置１から、他の装置として、直接的に、携帯端末２に対して、撮影画像や編集済の画像が送信されるように構成することも可能である。
【０１５０】
管理サーバ３は、ステップＳ１３１において、写真シール作成装置１から送信されてきたサーバ送信用画像とサーバ送信用画像ＩＤを受信し、それぞれを対応付けて記憶部３１８に記憶させる。
【０１５１】
ステップＳ１２０において、写真シール作成装置１の事後接客処理部２８５は、タブレット内蔵モニタ１６１に携帯送信用画像選択画面を表示させ、利用者に携帯送信用画像を選択させて、利用者の選択を受け付ける。
【０１５２】
ステップＳ１２１において、事後接客処理部２８５は、携帯送信用画像選択画面において、利用者により選択された携帯送信用画像選択フラグ、例えば“１”を管理サーバ３に送信する。管理サーバ３においては、ステップＳ１３２において、情報管理部３５１が、写真シール作成装置１から送信されてきた携帯送信用画像選択フラグを受信する。情報管理部３５１は、受信した携帯送信用画像フラグに対応するサーバ送信用画像を携帯送信用画像として記憶部３１８から読み出す。
【０１５３】
ステップＳ１２２において、写真シール作成装置１の事後接客処理部２８５は、タブレット内蔵モニタ１６１にメールアドレス入力画面を表示させ、利用者による携帯端末２のメールアドレスの入力を受け付ける。なお、携帯端末２のメールアドレスの入力は、写真シール作成装置１の非接触型ICリーダ／ライタ１６３と、携帯端末２の非接触型IC４０６との近接通信により受け付けられるようにしてもよい。
【０１５４】
利用者によってメールアドレス入力画面に携帯端末２のメールアドレスが入力されると、ステップＳ１２３において、事後接客処理部２８５は、入力された携帯端末２のメールアドレスと携帯端末ＩＤを管理サーバ３に送信する。
【０１５５】
管理サーバ３においては、ステップＳ１３３において、情報管理部３５１が、記憶部３１８から読み出した携帯送信用画像に対して、保存先URLを割り当て、写真シール作成装置１から送信されてきた携帯端末２のメールアドレスと携帯端末ＩＤとを対応付けて記憶部３１８に記憶させる。
【０１５６】
このとき、情報管理部３５１は、画像管理情報を生成または更新する。具体的には、携帯端末２の携帯端末ＩＤに紐付けられている画像管理情報が存在しない場合、すなわち、利用者が会員登録されていない場合、情報管理部３５１は、その携帯端末ＩＤに紐付けた画像管理情報を生成する。また、携帯端末２の携帯端末ＩＤに紐付けられている画像管理情報が存在する場合、すなわち、利用者が会員登録されている場合、情報管理部３５１は、その携帯端末ＩＤに紐付けられている画像管理情報を更新する。
【０１５７】
ここで、図１８を参照して、画像管理情報の例について説明する。図１８に示した画像管理情報は、撮影画像ＩＤ、送信フラグ、携帯端末ＩＤ、メールアドレスから構成され、撮影画像ＩＤは、撮影日時、機器ＩＤ、連番から構成されている。
【０１５８】
撮影画像ＩＤは、携帯送信用画像を特定する情報である。撮影日時は、携帯送信用画像が写真シール作成装置１において作成された年月日を表す情報である。機器ＩＤは、携帯送信用画像を作成した写真シール作成装置１を特定する情報である。連番は、写真シール作成装置１で撮影された撮影画像に対してシーケンシャルに振られる番号である。送信フラグは、その画像を携帯端末２に送信済か否かを示すフラグである。携帯端末ＩＤは、携帯端末２のＩＤであり、メールアドレスは、携帯端末２のメールアドレスである。
【０１５９】
図１４のフローチャートに戻り、ステップＳ１２４において、写真シール作成装置１の事後接客処理部２８５は、タブレット内蔵モニタ１６１に携帯送信用画像の送信確認画面を表示させ、携帯送信用画像の送信の指示を受け付け、その旨の情報を管理サーバ３に送信する。
【０１６０】
管理サーバ３においては、ステップＳ１３４において、情報管理部３５１が、携帯端末２のメールアドレスに、ステップＳ１３３において割り当てた携帯送信用画像の保存先URLを含む電子メールを送信する。
【０１６１】
携帯端末２においては、ステップＳ１５１において、携帯端末２の制御部４０１が、管理サーバ３から送信されてきた、割り当てた携帯送信用画像の保存先URLを含む電子メールを受信する。ステップＳ１５２において、制御部４０１は、電子メールの内容を確認した利用者により携帯送信用画像へのアクセスが指示された場合、携帯送信用画像にアクセスするためのアクセス情報である、受信した電子メールに含まれるURLに基づいてアクセスを行う。
【０１６２】
管理サーバ３においては、ステップＳ１３５において、携帯端末２からのアクセスに応じて、携帯送信用画像の保存先を指定する。ステップＳ１３６において、管理サーバ３は、指定された保存先の携帯送信用画像を読み出し、携帯端末２に送信する。
【０１６３】
携帯端末２においては、ステップＳ１５３において、管理サーバ３から送信されてきた携帯送信用画像が受信され、表示部４０５に表示される。
【０１６４】
なお、上述した説明においては、携帯送信用画像は、携帯端末に送信されるものとしたが、携帯端末に限らず、パーソナルコンピュータ等の、利用者が所有する端末装置に送信されるようにすることができる。
【０１６５】
［携帯端末における画面表示例］
ここで、以下においては、上述の処理によって携帯送信用画像を受信した携帯端末における画面表示例について説明する。図１９は、携帯端末２に表示される画面の一例を示す図である。図１９Ａに示した画面は、ステップＳ１５１で表示される画面例である。図１９Ａに示した画面には、リンク５８１が表示されている。このリンク５８１は、ステップＳ１５１において、携帯端末２が管理サーバ３から受信したＵＲＬであり、画像の保存先を示すリンクである。
【０１６６】
図１９Ａにおいて、利用者の操作によって、リンク５８１が選択されると、携帯端末２の表示部４０５には、図１９Ｂに示されるように、サムネイル画像５８２、リンク５８３、およびリンク５８４が表示される。サムネイル画像５８２は、携帯端末２に適した色味に変換されている画像である。リンク５８３は、非会員のページに移行するためのリンクであり、リンク５８４は、会員のページに移行するためのリンクである。会員とは、所定のサイトに会員として登録している利用者のことである。
【０１６７】
リンク５８３が操作されることで移行するページは、サイト会員、非会員にかかわらず、写真シール作成装置１で選択した携帯送信用画像を取得させるためのページである。リンク５８４が操作されることで移行するページは、会員専用のページであり、写真シール作成装置１で編集した画像の全てを取得することができるページである。
【０１６８】
このような携帯端末２で表示される画面内の画像は、写真シール作成装置１側または管理サーバ３側で携帯端末２に適した色味に変換された画像とされている。なお、例えば、リンク５８３が操作されると、リンク先のページに画面が切り替えられるが、そのような他の画面に切り替えられる処理などについては、ここでは省略する。
【０１６９】
［色味の変換について］
ところで、上述したように、ユーザに提供される画像としては、大きく分類し、以下の３つがある。写真シール作成装置１のモニタに表示される画像、印刷される画像（以下、印刷画像と記述する）、および携帯端末２のディスプレイに表示される画像（以下、端末画像と記述する）がある。また、写真シール作成装置１のモニタに表示される画像としても、編集部１２のタブレット内蔵モニタ１３１に表示される画像（以下、編集画像と記述する）と、事後接客部１３のタブレット内蔵モニタ１６１に表示される画像（以下、事後画像と記述する）とがある。
【０１７０】
編集画像、事後画像、印刷画像、および端末画像は、それぞれ表示される媒体が異なったり、サイズが異なったりするため、必ずしも同一の色味になるとは限らない。例えば、写真シール作成装置１の編集画面上に表示される編集画像と、携帯端末２の画面上に表示される端末画像との色味の濃淡や明るさが異なることがある可能性がある。携帯端末２に送信された携帯送信用画像が、利用者が想定していた写りや明るさであるとは限らず、そのような場合、利用者の満足度を低下させてしまう可能性がある。
【０１７１】
よって、編集画像、事後画像、印刷画像、および端末画像の色味は、できるだけ同一であることが好ましい。そこで、本実施の形態においては、これらの画像の色味が同一になるように、色味の変換が行われる。このような変換は、例えば、ステップＳ１１５（図１４）において行われる。よってここで、ステップＳ１１５の処理の詳細として、以下の説明を行う。
【０１７２】
図２３を参照して、各画像の関係について説明する。なおここでは、“色味が同一になるように色味の変換が行われる”として説明を続けるが、色味が利用者の好みの色味に変換できるようにしても良い。このような変換については、例えば、第２の実施の形態として後述するアプリケーションを用いた処理により、実現することができる。
【０１７３】
図２０において、編集画面用合成用画像ａ−１は、撮影画像aに合成される合成用画像である。図２１Ａに示すように、撮影画像ａに編集画面用合成用画像ａ−１が合成された合成画像が、編集画像に相当する。また、この編集画像は、上述した処理において、例えば、ステップＳ３０４（図１７）の処理が実行されたときに、編集部１２のタブレット内蔵モニタ１３１上に表示される画像である。
【０１７４】
同様に、事後接客画面用合成用画像ａ−１’は、撮影画像に合成される合成用画像である。図２１Ｂに示すように、撮影画像ａに編集画面用合成用画像ａ−１’が合成された合成画像が、事後画像に相当する。また、この事後画像は、上述した処理において、例えば、ステップＳ１１８（図１４）において、事後接客部１３のタブレット内蔵モニタ１６１上に表示される画像である。
【０１７５】
編集画面用合成用画像ａ−１と事後接客画面用合成用画像ａ−１’は、色味が同一でサイズが異なる合成用画像とされている。編集部１２のタブレット内蔵モニタ１３１と事後接客部１３のタブレット内蔵モニタ１６１は、同一の色味の画像としても、同一の色味で表示されるため、同一の色味の合成用画像として管理される。
【０１７６】
印刷用合成用画像ａ−２は、撮影画像に合成される合成用画像である。図２１Ｃに示すように、撮影画像ａに印刷用合成用画像ａ−２が合成された合成画像は、シール紙に印刷される。ここでは、このシール紙に印刷される合成画像を、印刷画像に記述する。印刷画像は、シール紙という紙媒体に印刷された画像であり、編集画像や事後画像と異なり、モニタ上に表示される画像ではない。よって、仮に、編集画面用合成用画像ａ−１と印刷用合成用画像ａ−２の色味を同一の色味とした場合、そのような合成用画像が合成された編集画像と印刷画像の色味は異なる色味となる可能性が高い。
【０１７７】
そこで、編集画面用合成用画像ａ−１と印刷用合成用画像ａ−２の色味は、モニタ上に表示されたときと、シール紙に印刷されたときとで、同一の色味となるようにされている。編集画面用合成用画像ａ−１と印刷用合成用画像ａ−２は、それぞれ別々に用意され、管理されていても良いし、編集画面用合成用画像ａ−１の色味を変換することで印刷用合成用画像ａ−２が生成され、管理されるようにしても良い。
【０１７８】
いずれにしても、編集画面用合成用画像ａ−１と印刷用合成用画像ａ−２は、絵柄が同一であっても、異なる色味となる合成用画像として用意されている。
【０１７９】
携帯送信用合成用画像ａ−３は、撮影画像に合成される合成用画像である。図２１Ｄに示すように、撮影画像ａに携帯送信用合成用画像ａ−３が合成された合成画像であり、携帯端末２の表示部４０５に表示された画像を、端末画像と記述する。携帯端末２は、例えば、携帯電話機である。携帯電話機には、さまざまな機種があり、機種毎に表示部４０５に表示される画像の色味は異なる。例えば、同一の画像を異なる機種の携帯端末２で表示させた場合、一方は明るい色味であるが、他方は暗い色味であるといったことがある。
【０１８０】
また、編集画像や事後画像が表示されるモニタと、携帯端末２の表示部４０５は異なるため、同一の画像を表示させたとしても表示される画像の色味は同一ではない。そこで、編集画面用合成用画像ａ−１と携帯送信用合成用画像ａ−３の色味は、写真シール作成装置１のモニタ上に表示されたときと、携帯端末２の表示部４０５上に表示されたときとで、同一の色味となるようにされている。編集画面用合成用画像ａ−１と携帯送信用合成用画像ａ−３は、それぞれ別々に用意され、管理されていても良いし、編集画面用合成用画像ａ−１の色味を変換することで携帯送信用合成用画像ａ−３が生成され、管理されるようにしても良い。また、携帯送信用合成用画像ａ−３は、携帯端末２の機種毎に設けられていても良い。
【０１８１】
図２１を再度参照する。図２１Ａに示した編集画像と図２１Ｂに示した事後画像は、サイズが異なり、色味は同じなので、編集画像を代表して説明する。図２１Ａに示した編集画像、図２４Ｃに示した印刷画像、および図２１Ｄに示した端末画像は、それぞれ同一の撮影画像ａに、それぞれの合成用画像を合成した合成画像とされている。撮影画像ａは、利用者を撮影することで得られた画像であり、そのような撮影画像ａに対して合成用画像が合成され、合成画像が生成される。
【０１８２】
合成用画像とは、このように、撮影画像ａに合成される画像であり、例えば、上述した説明における背景の画像や前景の画像が該当する。背景の画像は、撮影画像である利用者の後ろ側に表示される画像であり、前景の画像は、撮影画像である利用者の前側に表示される画像である。また例えば、編集作業時に利用者が入力した手書きの線画や、スタンプ画像なども合成用画像に含まれる。
【０１８３】
合成用画像は、このように、背景や前景の画像である。このような合成用画像は、予め写真シール作成装置１や管理サーバ３で記憶し、管理しておくことができる。編集画面用合成画像ａ−１、事後接客画面用合成画像ａ−１’、および印刷用合成用画像ａ−２は、写真シール作成装置１側で記憶され、管理される。事後接客画面用合成画像ａ−１’は、編集画面用合成画像ａ−１とサイズが異なる合成用画像とされているため、それぞれ別々に用意し、管理されるようにしても良いし、編集画面用合成画像ａ−１だけが管理され、編集画面用合成画像ａ−１がリサイズされることで事後接客画面用合成画像ａ−１’が生成されるようにしても良い。
【０１８４】
印刷用合成用画像ａ−２は、印刷時に編集画面用合成画像ａ−１と同じ色味となる合成用画像として、編集画面用合成画像ａ−１とは別に設けられ、写真シール作成装置１で管理されている。例えば、編集画面用合成画像ａ−１が橙色の合成用画像であった場合、印刷用合成用画像ａ−２は、印刷したときに橙色となる印刷用橙色の合成用画像とされ、それぞれ用意されている。
【０１８５】
携帯送信用合成用画像ａ−３は、携帯端末２に表示されたときに、編集画面用合成画像ａ−１と同じ色味となる合成用画像として、編集画面用合成画像ａ−１とは別に設けられ、写真シール作成装置１または管理サーバ３で管理されている。写真シール作成装置１側で管理されるようにした場合、例えば、ステップＳ１１９（図１４）の処理で、写真シール作成装置１側から管理サーバ３側に編集済の画像が送信されるとき、その画像は、図２４Ｄに示したように、撮影画像ａに携帯送信用合成用画像ａ−３が合成された端末画像が管理サーバ３に送信される。
【０１８６】
または、写真シール作成装置１側から管理サーバ３側に編集済の画像が送信されるとき、撮影画像ａと携帯送信用合成用画像ａ−３がそれぞれ管理サーバ３に送信され、必要に応じて、管理サーバ３側で撮影画像ａに携帯送信用合成用画像ａ−３が合成され、端末画像が生成され、管理されるようにしても良い。
【０１８７】
また、管理サーバ３側で携帯送信用合成用画像ａ−３が管理されるようにした場合、写真シール作成装置１側から管理サーバ３側に編集済の画像が送信されるとき、写真シール作成装置１側からは、撮影画像ａと、携帯送信用合成用画像ａ−３を識別するための識別情報が送信され、管理サーバ３側で、識別情報を基に、携帯送信用合成用画像ａ−３が特定され、撮影画像ａに必要に応じて合成され、端末画像が生成され、管理されるようにしても良い。
【０１８８】
いずれにしても、管理サーバ３には、携帯端末２に適した色味に変換された端末画像が記憶部３１８に記憶される。記憶部３１８には、図２２に示すように、端末画像１、端末画像２、・・・、端末画像Ｎが記憶されている。これらの端末画像１乃至Ｎは、それぞれ撮影画像ａと携帯送信用合成用画像ａ−３が合成された後の合成画像である。このように、撮影画像ａと携帯送信用合成用画像ａ−３が合成された合成画像が管理されるようにすることで、携帯端末２からの要求に応じて画像を読み出し、送信するまでの時間を短縮することが可能となる。
【０１８９】
ところで、携帯端末２は、携帯電話機や、パーソナルコンピュータなどが想定される。携帯電話機も、ディスプレイ（表示部４０５）の大きさや解像度などが異なったり、製造会社の色味付けが異なったりするため、同一の画像であっても、異なる端末で表示させたときに、異なる色となる可能性がある。ここでは、異なる機種では異なる色になる可能性があるとして説明を続ける。
【０１９０】
よって、携帯送信用合成用画像ａ−３も、機種毎に用意されている。なお、ここでは、機種毎に用意されているとして説明を続けるが、例えば、１００種類の機種が想定されるときに、それらの機種に対応する１００種類の携帯送信用合成用画像ａ−３が用意されなければ、本実施の形態が適用できないことを意味する記載ではない。
【０１９１】
例えば、１００種類の機種が想定されるときに、ディスプレイに表示された画像の色味が同じ傾向にある（類似する傾向にある）機種をグループ分けし、そのグループ頃に、携帯送信用合成用画像ａ−３が用意されるようにしても良い。また、グループ分けとして、製造会社毎などでも良い。この場合、１００種類の携帯送信用合成用画像ａ−３を用意する必要がないため、それらの携帯送信用合成用画像ａ−３を記憶するための記憶容量の削減を行え、管理を容易にすることが可能となる。
【０１９２】
このように、携帯送信用合成用画像ａ−３は、機種毎に設けられるため、機種を識別する必要がある。機種は、携帯端末ＩＤから識別される。例えば、写真シール作成装置１または管理サーバ３は、携帯端末ＩＤと機種の対応関係を表す情報を記憶し、利用者の携帯端末２の携帯端末ＩＤが取得された時点で、記憶している対応関係から、機種を特定する。そして、機種が特定されることで、その機種に適した携帯送信用合成用画像ａ−３が特定される。
【０１９３】
このように機種毎に携帯送信用合成用画像ａ−３が用意される場合、例えば、写真シール作成装置１または管理サーバ３は、図２３に示すように、携帯送信用合成用画像ａ−３を管理する。携帯端末機種Ａに対しては、パラメータ１が用いられて色味などが変換された画像１’乃至８’が用意されている。この画像１’乃至８’は、それぞれ携帯送信用合成用画像ａ−３である。
【０１９４】
同様に、携帯端末機種Ｂに対しては、パラメータ２が用いられて色味などが変換された画像１”乃至８”が用意されている。この画像１”乃至８”も、それぞれ携帯送信用合成用画像ａ−３である。また例えば、画像１’と画像１”は、同一の携帯送信用合成用画像ａ−３（背景や前景は同じ画像）であるが、異なるパラメータで色味などが変換された画像である。このように、機種毎に携帯送信用合成用画像が管理される。
【０１９５】
なおパラメータとは、コントラスト、明るさ、色の濃淡、色相、彩度、明度のいずれか１つを調整するものであっても良いし、いずれかを掛け合わせて調整するものであっても良い。ここでは、これらを色味と称し、パラメータは色味を変換するためのものであるとして説明を続ける。
【０１９６】
パラメータを用いる場合、図２３に示したように、携帯端末２の機種に関する情報（携帯端末ＩＤ）とパラメータを関連付けたデータを管理し、さらにパラメータで変換された携帯送信用合成用画像ａ−３を予め用意し、管理するようにしても良い。または、携帯端末２の機種に関する情報（携帯端末ＩＤ）とパラメータを関連付けたデータを管理し、携帯端末２の機種が特定され、必要とされた時点で、パラメータを用いて編集画面用合成用画像ａ−１から携帯送信用合成用画像ａ−３が生成され、管理されるようにしても良い。
【０１９７】
このように、色味などが異なる編集画面用合成画像ａ−１（事後接客画面用合成用画像ａ−１’）、印刷用合成用画像ａ−２、および携帯送信用合成用画像ａ−３を用意することで、編集画像（事後画像）、印刷画像、および端末画像を、同一（類似）する色味とすることが可能となる。このようなことが可能となることで、以下のような効果がある。
【０１９８】
例えば、ステップＳ１２０（図１４）において、タブレット内蔵モニタ１６１に表示された画像の中から、携帯送信用画像が利用者に選択され、その結果、ステップＳ１５３において、携帯端末２に選択された画像が表示される。このとき利用者は、タブレット内蔵モニタ１６１に表示されている画像（この場合、事後画像）を見て、携帯送信用画像を選択するが、その表示されている画像と、自己の携帯端末２に送信され、表示された画像（端末画像）を見比べたときに、異なる色であった場合、選択したのと違うといった違和感を持ち、満足度が低下してしまう可能性がある。
【０１９９】
しかしながら、本実施の形態においては、上述したように、色味などが同じとなるように事後接客画面用合成用画像ａ−１’と携帯送信用合成用画像ａ−３がそれぞれ用意されているため、タブレット内蔵モニタ１６１に表示されている画像と、自己の携帯端末２に表示されている画像を見比べたとき同一の画像であるようにすることができる。よって、利用者が違和感を持つこともなく、満足度が低下してしまうようなことも防ぐことが可能となる。
【０２００】
［アプリケーションによる色味などの変換について］
上述した第１の実施の形態においては、写真シール作成装置１または管理サーバ３で、予め色味などが調整された合成用画像を管理しているとして説明した。次に、第２の実施の形態として、色味などの調整を行うアプリケーションを用意し、そのアプリケーションによる処理で、上記したような利用者が違和感を持つことなく、満足度が低下してしまうようなことも防ぐことについて説明する。
【０２０１】
図２４、図２５を参照し、まず、編集画像、事後画像、印刷画像、および端末画像の関係について説明する。編集画像、事後画像、印刷画像、および端末画像は、上述した場合と同じく、例えば、図２０、図２１を参照して説明した編集画像、事後画像、印刷画像、および端末画像と同じ意味合いで用いているが、再度説明を加える。
【０２０２】
図２４を参照するに、編集画面用合成用画像ａ−１は、撮影画像ａに合成される合成用画像である。図２５Ａに示すように、撮影画像ａに編集画面用合成用画像ａ−１が合成された合成画像が、編集画像に相当する。同様に、図２４において、事後接客画面用合成用画像ａ−１’は、撮影画像に合成される合成用画像である。図２５Ｂに示すように、撮影画像ａに編集画面用合成用画像ａ−１’が合成された合成画像が、事後画像に相当する。編集画面用合成用画像ａ−１と事後接客画面用合成用画像ａ−１’は、色味が同一でサイズが異なる画像とされている。
【０２０３】
図２４において、印刷用合成用画像ａ−２は、撮影画像に合成される合成用画像である。図２５Ｃに示すように、撮影画像ａに印刷用合成用画像ａ−２が合成された合成用画像が、シール紙に印刷される。ここでは、その印刷された合成画像を、印刷画像と称する。編集画面用合成用画像ａ−１と印刷用合成用画像ａ−２の色味は、モニタ上に表示されたときと、シール紙に印刷されたときとで、同一の色味となるようにされている。
【０２０４】
ここまでの編集画像、事後画像、および印刷画像に関しては、第１の実施の形態と同じく、また図２０や図２１を参照して説明した場合と同じく、それぞれ写真シール作成装置１側で、撮影画像ａに対して適切な色味に設定されている合成用画像が合成されることで生成される合成画像とされている。
【０２０５】
第１の実施の形態と異なり、第２の実施の形態においては、写真シール作成装置１側で、携帯送信用合成用画像ａ−３を管理しない。図２０と図２４を比較するに、図２０においては、編集画面用合成用画像ａ−１と、その編集画面用合成用画像ａ−１を携帯送信用に色味変換された携帯送信用合成用画像ａ−３が用意されているとして説明したが、図２４には、携帯送信用合成用画像ａ−３は、写真シール作成装置１側では管理されていないため、図示していない。
【０２０６】
携帯送信用合成用画像ａ−３は、図２５Ｄに示したように生成され、撮影画像ａに合成される。すなわち、写真シール作成装置１から管理サーバ３には、撮影画像ａと編集画面用合成用画像ａ−１が送信される。そして、管理サーバ３は、受信された撮影画像ａと編集画面用合成用画像ａ−１を一旦保持し、必要に応じ、編集画面用合成用画像ａ−１から携帯送信用合成用画像ａ−３を生成する。この時点で、管理サーバ３には、撮影画像ａと携帯送信用合成用画像ａ−３が保持されている状態となる。
【０２０７】
そして、管理サーバ３側において、撮影画像ａに携帯送信用合成用画像ａ−３が合成されることで、端末画像が生成される。ここで、図２６を参照し、管理サーバ３において管理される画像に関するデータについて説明する。
【０２０８】
図２６Ａに示したように、管理サーバ３は、写真シール作成装置１から送信されてきた撮影画像ａと編集画面用合成用画像ａ−１を関連付けて管理する。撮影画像ａ乃至ｇは、それぞれ異なる撮影画像であり、それぞれの撮影画像ａ乃至ｇに、編集画面用合成用画像ａ−１乃至ｇ−１が関連付けられている。このようなデータベースから、図２６Ｂに示したようなデータベースが作成される。すなわち、図２６Ｂを参照するに、撮影画像ａと携帯送信用合成用画像ａ−３が関連付けられたデータベースが作成される。
【０２０９】
携帯送信用合成用画像ａ−３は、上記したように、編集画面用合成用画像ａ−１をアプリケーションに基づく処理で色味などを変換することで生成された合成画像である。同様に、編集画面用合成用画像ａ−１乃至ｇ−１のそれぞれが、携帯送信用合成用画像ａ−３乃至ｇ−３にそれぞれ変換され、データベースで管理される。さらに、撮影画像ａと携帯送信用合成用画像ａ−３が合成され、端末画像ａが生成される。同様に、撮影画像b乃至ｇと携帯送信用合成用画像b−３乃至ｇ−３のそれぞれが合成され、端末画像b乃至ｇが生成され、データベースで管理される。
【０２１０】
管理サーバ３は、このような三つのデータベースを管理するようにしても良いし、最終的に生成された端末画像ａ乃至ｇが管理されるデータベースのみを管理するようにしても良い。
【０２１１】
また、このような画像を管理するデータベースを管理するためのデータベースは、図２７に示したようになる。図２７に示した画像管理情報は、撮影画像ＩＤ、合成用画像ＩＤ、送信フラグ、携帯端末ＩＤ、メールアドレス、および写りアプリＤＬフラグから構成され、撮影画像ＩＤは、撮影日時、機器ＩＤ、連番から構成され、合成用画像ＩＤは、撮影日時、機器ＩＤ、連番から構成されている。
【０２１２】
撮影画像ＩＤは、携帯送信用画像の撮影画像を特定する情報である。撮影日時は、携帯送信用画像が写真シール作成装置１において作成された年月日を表す情報である。機器ＩＤは、携帯送信用画像を作成した写真シール作成装置１を特定する情報である。連番は、写真シール作成装置１で撮影された撮影画像に対してシーケンシャルに振られる番号である。
【０２１３】
合成用画像ＩＤは、携帯送信用画像の合成用画像を特定する情報であり、撮影画像ＩＤと同様の項目が設けられ、それぞれの情報が管理される。送信フラグは、その画像を携帯端末２に送信済か否かを示すフラグである。
【０２１４】
携帯端末ＩＤは、携帯端末２のＩＤであり、メールアドレスは、携帯端末２のメールアドレスである。写りアプリＤＬフラグは、上述したアプリケーションをダウンロード（ＤＬ）した携帯端末２であるか否かを示すフラグである。写りアプリとは、写真シール作成装置１から取得される撮影画像に紐付けられている合成画像を、提供する携帯端末２の機種に応じた写りに画像処理するためのアプリケーションである。
【０２１５】
この写りアプリケーション（写りアプリ）は、携帯端末２の機種毎に、その機種に適した色味などに変換するためのアプリケーションである。よって、写りアプリケーションは、機種を特定するための処理、特定された機種に適したパラメータを取得する処理、取得されたパラメータを用いて編集画面用合成用画像ａ−１を携帯送信用合成用画像ａ−３に変換する処理、そして、撮影画像ａに携帯送信用合成用画像ａ−３を合成する処理を含む処理を実行するためのアプリケーションとされる。これらの処理の一部または全てを、携帯端末２または管理サーバ３が有するように構成される。
【０２１６】
例えば、１つの写りアプリケーションと、機種毎のパラメータを管理し、編集画面用合成用画像ａ−１を携帯送信用合成用画像ａ−３に変換する必要があるとき、写りアプリケーションが起動される。その起動された写りアプリケーションに基づき、携帯端末２の機種が特定され、管理されている機種毎のパラメータの内から、特定された機種に適したパラメータが取得され、取得されたパラメータが用いられて編集画面用合成用画像ａ−１が携帯送信用合成用画像ａ−３に変換され、撮影画像ａに合成される。
【０２１７】
または、パラメータを含むアプリケーションとし、機種毎に写りアプリケーションが用意されていても良い。ここでのパラメータは、例えば、図２３を参照して説明したパラメータと同一のパラメータとすることができる。
【０２１８】
ここで、図２８，図２９のフローチャートを参照し、写りアプリケーションを用いた場合の、写真シール作成装置１において得られた携帯送信用画像を、管理サーバ３に提供し、携帯端末２に送信するまでの一連の処理について説明する。なお、図２８，図２９のフローチャートにおいては、既に説明した図１４のフローチャートの処理と同様に行われる処理があり、そのような処理に関しては、適宜説明を省略する。
【０２１９】
写真シール作成装置１において実行されるステップＳ５１１乃至Ｓ５２５の各処理は、基本的に図１４に示したフローチャートにおけるステップＳ１１１乃至Ｓ１２５の処理と同様に行われるため、その説明は省略する。但し、ステップＳ１１５（図１４）に対応するステップＳ５１５（図２８）と、ステップＳ１１９（図１４）に対応するステップＳ５１９（図２８）の処理には、異なる処理が含まれるため、ここでその説明を加える。
【０２２０】
ステップＳ５１５において、変換、合成の処理が行われる。ステップＳ５１５の処理は、上述した第１の実施の形態におけるステップＳ１１５の処理に対応する処理であるが、ステップＳ１１５においては、例えば、図２０を参照して説明したように、変換、合成の処理が行われると説明した。すなわち、ステップＳ１１５においては、再度図２０を参照するに、編集画面用合成用画像ａ−１のサイズが変換されることで、事後接客画面用合成用画像ａ−１’が生成され、撮影画像ａと合成されることで、事後画像が生成される。
【０２２１】
またステップＳ１１５においては、編集画面用合成用画像ａ−１の色味が変換されることで、印刷用合成用画像ａ−２が生成され（保持されている印刷用合成用画像ａ−２が読み出され）、撮影画像ａと合成されることで、印刷画像が生成される。さらに、ステップＳ１１５においては、編集画面用合成用画像ａ−１の色味が変換されることで、携帯送信用合成用画像ａ−３が生成され（保持されている携帯送信用合成用画像ａ−３が読み出され）、撮影画像ａと合成されることで、端末画像が生成される。
【０２２２】
しかしながら、第２の実施の形態においては、図２４を参照して説明したように、写真シール作成装置１側で、携帯送信用合成用画像ａ−３を管理しないため、端末画像は生成されない。よって、ステップＳ５１５においては、事後画像と印刷画像を生成するための変換や合成が行われ、端末画像を生成するための変換や合成は行われない。
【０２２３】
ステップＳ５１５において、端末画像が生成されないため、ステップＳ５１９において、管理サーバ３に送信される画像は、撮影画像ａと編集画面用合成用画像ａ−１となる。図２５Ｄを参照して説明したように、写真シール作成装置１から撮影画像ａと編集画面用合成用画像ａ−１が送信され、管理サーバ３に受信され、図２６Ａに示したように保存される。管理サーバ３側では、ステップＳ５３１において、このような受信や保存に関する処理が実行される。
【０２２４】
写真シール作成装置１は、ステップＳ５２０において、タブレット内蔵モニタ１６１に携帯送信用画像選択画面を表示させ、利用者に携帯送信用画像を選択させて、利用者の選択を受け付け、ステップＳ５２１において、利用者により選択された携帯送信用画像の携帯送信用画像選択フラグ、例えば“１”を管理サーバ３に送信する。
【０２２５】
管理サーバ３においては、ステップＳ５３２において、写真シール作成装置１から送信されてきた携帯送信用画像選択フラグを受信し、その携帯送信用画像フラグに対応するサーバ送信用画像を携帯送信用画像として記憶部３１８から読み出す。なお、このステップＳ５３２において読み出される携帯送信用画像は、撮影画像ａと編集画面用合成用画像ａ−１である。
【０２２６】
ステップＳ５２２において、写真シール作成装置１のタブレット内蔵モニタ１６１にメールアドレス入力画面が表示され、利用者による携帯端末２のメールアドレスの入力が受け付けられ、ステップＳ５２３において、携帯端末ＩＤとともに管理サーバ３に送信される。
【０２２７】
管理サーバ３においては、ステップＳ５３３において、記憶部３１８から読み出した撮影画像ａと編集画面用合成用画像ａ−１に対して、保存先URLを割り当て、写真シール作成装置１から送信されてきた携帯端末２のメールアドレスと携帯端末ＩＤとを対応付けて記憶部３１８に記憶させる。
【０２２８】
写真シール作成装置１は、ステップＳ５２４において、タブレット内蔵モニタ１６１に携帯送信用画像の送信確認画面を表示させ、携帯送信用画像の送信の指示を受け付け、その旨の情報を管理サーバ３に送信する。
【０２２９】
管理サーバ３においては、ステップＳ５３４において、携帯端末２のメールアドレスに、ステップＳ５３３において割り当てた携帯送信用画像の保存先URLを含む電子メールを送信する。またこの電子メールには、写りアプリケーションをダウンロードするためのサイトのURLも含まれる。
【０２３０】
携帯端末２においては、ステップＳ５５１において、携帯端末２の制御部４０１が、管理サーバ３から送信されてきた、割り当てた携帯送信用画像の保存先URLと写りアプリケーションをダウンロードするためのサイトのURLを含む電子メールを受信する。ステップＳ５５２において、携帯端末２は、電子メールの内容を確認した利用者により写りアプリケーションのダウンロードサイトへのアクセスが指示された場合、写りアプリケーションのダウンロードサイトにアクセスするためのアクセス情報である、受信した電子メールに含まれるURLに基づいてアクセスを行う。
【０２３１】
管理サーバ３においては、ステップＳ５３５において、携帯端末２からのアクセスを受け、写りアプリケーションのダウンロードの要求を受信する。そしてステップＳ５３６において、管理サーバ３は、指定された写りアプリケーションを読み出し、携帯端末２に送信する。
【０２３２】
携帯端末２においては、ステップＳ５５３において、管理サーバ３からの写りアプリケーションを受信し、インストールし、起動する。その後、ステップＳ５５４において、携帯端末２は、電子メールの内容を確認した利用者により携帯送信用画像へのアクセスが指示された場合、携帯送信用画像にアクセスするためのアクセス情報である、受信した電子メールに含まれるURLに基づいてアクセスを行う。
【０２３３】
管理サーバ３においては、ステップＳ５３７において、携帯端末２からのアクセスに応じて、写真シール作成装置１から受信し、保存している編集画面用合成用画像ａ−１を読み出し、携帯端末２に適した写りに変換し、携帯送信用合成用画像ａ−３に生成し、撮影画像ａと合成することで、端末画像を生成する。この処理は、例えば、図２５Ｄや、図２６を参照して説明した処理である。
【０２３４】
生成された端末画像は、ステップＳ５３８において、管理サーバ３から携帯端末２に送信される。携帯端末２においては、ステップＳ５５５において、管理サーバ３からの端末画像を受信し、表示部４０５に表示する。このとき、表示部４０５に表示される端末画像は、携帯端末２に適した色味に変換されている画像であるため、利用者は、携帯端末２に表示される画像に対しても満足することができる。
【０２３５】
携帯端末２に写りアプリケーションがダウンロードされ、インストールされた場合、１度の処理を実行するために一旦インストールされ、端末画像が取得され、表示された後には、写りアプリケーションは、携帯端末２から削除されるようにしても良い。
【０２３６】
または、一度、携帯端末２に写りアプリケーションがダウンロードされ、インストールされた場合、そのままインストールされた状態が維持され、再度ダウンロードすることなく使用できるようなアプリケーションとしても良い。このようにした場合、管理サーバ３側で、写りアプリケーションをダウンロードした携帯端末２であるか否かを管理する必要がある。
【０２３７】
そこで、図２７を参照して説明したようなデータベースを管理し、そのデータベースの一項目として、写りアプリＤＬフラグを設ける。また、ステップＳ５５２において、携帯端末２から写りアプリケーションのダウンロードの要求が出されたとき、携帯端末ＩＤも送信され、管理サーバ３は、ステップＳ５３５において、そのような携帯端末２からの要求を受けたとき、受信された携帯端末ＩＤに一致する、データベース内の携帯端末ＩＤに対応する写りアプリＤＬフラグの欄に、“１”を書き込む。このようにすることで、管理サーバ３は、写りアプリケーションをダウンロードした携帯端末２であるか否かを判断することができるようになる。
【０２３８】
また、このように、管理サーバ３側で、写りアプリケーションをダウンロードした携帯端末２であるか否かを管理できるようにした場合、ステップＳ５２３において、写真シール作成装置１から携帯端末ＩＤが送信され、ステップＳ５３３において、管理サーバ３に受信されたとき、管理サーバ３は、受信された携帯端末ＩＤから、携帯端末２が写りアプリケーションを既に受信済か否かを判断することができる。
【０２３９】
このような判断を管理サーバ３が行えるようになることで、ステップＳ５３４において、携帯送信用画像の保存先URLと写りアプリケーションをダウンロードするためのサイトのURLを送信する際、送信先の携帯端末２が、まだ写りアプリケーションをダウンロードしていない端末であると判断されるときには、２つのＵＲＬを送信し、既に写りアプリケーションをダウンロードしている端末であると判断されるときには、１つのURL（携帯送信用画像の保存先URL）を送信するといった選択を行うことができる。
【０２４０】
このような選択的にURLを送信するように構成することで、携帯端末２の利用者側にとっても、１度、写りアプリケーションをダウンロードしておけば、その後、再度ダウンロードする必要がなくなり、利用者に無駄な操作をさせるようなことを防ぐことが可能となる。
【０２４１】
なお、このように管理サーバ３で携帯端末２が写りアプリケーションをダウンロードした端末であるか否かを判断するようにした場合、ステップＳ５３４において、管理サーバ３が、写りアプリケーションをダウンロードした端末に対して、URLを送信すると判断した場合、携帯送信用画像の保存先URLのみが送信される。よって、この場合、管理サーバ３側においては、ステップＳ５３５，Ｓ５３６の処理を省略することができる。また、携帯端末２側においては、ステップＳ５５２，Ｓ５５３におけるインストールの処理を省略することができる。
【０２４２】
このようなことについて、再度、図３０を参照して説明する。図３０は、携帯端末２の表示部４０５に表示される画面の一例を示す図である。図３０Ａは、ステップＳ５５１において、表示部４０５に表示される画面であり、管理サーバ３側で、携帯端末２はまだ写りアプリケーションをダウンロードしていない端末であると判断された場合の画面例である。リンク６０１は、写りアプリケーションをダウンロードするためのURLと端末画像の保存先を表すURLとされている。
【０２４３】
このリンク６０１が操作されると、図３０Ｂのような画面に遷移する。図３０Ｂに示した画面は、ステップＳ５５２において表示部４０５に表示される画面である。図３０Ｂに示した画面は、写りアプリケーションのダウンロードを、利用者に促すメッセージが表示されている画面であり、ダウンロードを実行するときに操作されるボタン６０２と、ダウンロードを実行しないときに操作されるボタン６０３が表示されている。
【０２４４】
ボタン６０２、ボタン６０３のどちらのボタンが操作されたときであっても、図３０Ｃに示したような画面に、表示部４０５の画面が遷移する。図３０Ｃに示した画面は、ステップＳ５５５で表示される画面である。図３０Ｃに示した画面には、サムネイル画像６０４、リンク６０５、およびリンク６０６が表示されている。サムネイル画像６０４は、写りアプリケーションをダウンロード済みの携帯端末２と、まだダウンロードしていない携帯端末２とでは、異なる画像となる。
【０２４５】
写りアプリケーションをダウンロード済みの携帯端末２である場合、写りアプリケーションにより携帯端末２に適した色味に変換された画像がサムネイル画像６０４として表示される。写りアプリケーションをダウンロード済みではない携帯端末２である場合、印刷用の色味に変換されている画像、例えば、図２８Ｃを参照して説明したような印刷用合成用画像ａ−２と撮影画像ａが合成された印刷画像がサムネイル画像６０４として表示される。
【０２４６】
このように、写りアプリケーションをダウンロードしているか否かにより、サムネイル画像６０４として表示される画像は異なる。なお。上述したように、写りアプリケーションをダウンロードした携帯端末２であるか否かを管理サーバ３側で管理するようにした場合、携帯端末２の表示部４０５上に表示される画像の遷移は図３０Ａ→図３０Ｂ→図３０Ｃのようにはならないので、その説明をここでする。
【０２４７】
すなわち、図３０Ａ→図３０Ｂ→図３０Ｃに示したように画面が遷移するのは、写りアプリケーションをダウンロードしていない携帯端末２の場合である。一方、写りアプリケーションをダウンロードしている携帯端末２の場合、図１９Ａ→図１９Ｂに示したように画面が遷移する。図１９については既に説明した通り、携帯送信用画像の保存先URLを表示し、そのURLにアクセスすることにより、携帯端末２に適した色味に変換されたサムネイル画像５８２が表示されている画面である。
【０２４８】
このように、携帯端末２側においても、写りアプリケーションをダウンロードしているか否かにより、画面の遷移が異なる。上述したように、１度写りアプリケーションをダウンロードした端末においては、図１９に示したように画面が遷移するため、再度写りアプリケーションをダウンロードするなどの手間が省け、利用者は、所望の端末画像を少ない操作で取得することが可能となり、利用者の満足度を向上させることが可能となる。
【０２４９】
図３０Ｃの画面の説明に戻る。図３０Ｃに示した画面に表示されているリンク６０５は、非会員のページに移行するためのリンクであり、リンク６０６は、会員のページに移行するためのリンクである。会員とは、所定のサイトに会員として登録している利用者のことである。
【０２５０】
例えば、リンク６０５が操作されると、図３０Ｄに示したような画面に、表示部４０５上の画面が切り替えられる。図３０Ｄに示した画面には、サムネイル画像６０７、背景６０８乃至６１０、ボタン６１１，６１２が表示されている。サムネイル画像６０７は、図３０Ｃに示したサムネイル画像６０４と同じ画像である。
【０２５１】
図３０Ｄに示したような画面において、利用者は、サムネイル画像６０７（端末画像）の背景を選択できるようになっており、背景６０８乃至６１０は、選択肢としての背景とされている。本実施の形態においては、サムネイル画像６０７は、既に携帯端末２に適した色味などに変換されている画像とされているが、さらに、利用者の好みも反映できるようにするために図３０Ｄに示したような画面が、利用者に提供される。
【０２５２】
利用者は、サムネイル画像６０７の背景を、背景６０８乃至６１０の中から選択することができる。選択中の背景６０８乃至６１０には、アンカが表示され、図３０Ｄに示した例では、背景６１０上にアンカが位置している。例えば、背景６１０にアンカが位置している状態のときに、決定というボタン６１２が操作されると、図３０Ｅに示した画面に表示部４０５の画面が切り替えられる。
【０２５３】
図３０Ｅに示した画面には、サムネイル画像６１３、ボタン６１４，６１５が表示されている。サムネイル画像６１３は、サムネイル画像６０７の背景が、背景６１０に変換されている画像である。このような画面にて、利用者は、選択した背景に変換された画像を確認することができる。確認の結果、利用者がOKというボタン６１５を操作すると、背景が変更された端末画像が取得される。その後、利用者は、取得された端末画像を、携帯端末２にて、好きなときに閲覧できるようになる。
【０２５４】
一方、図３０Ｅに示した画面において、NGというボタン６１４が操作された場合、表示部４０５の画面は、図３０Ｄに示した画面に戻される。図３０Ｄに示した画面において、利用者は、再度背景を変更したり、または、変更しないというボタン６１１を操作することで、図３０Ｃに示した画面に戻したりすることができるようにされている。
【０２５５】
このように、利用者の好みの背景に取得される端末画像が変更できるような仕組みを設けても良い。ここでは、背景が選択されるとして説明したが、背景の変更に伴い、前景も変更されるようにしても良い。また、前景が利用者に選択されるようにしても良いし、前景が選択されたときには、その変更に伴い、背景も変更されるようにしても良い。
【０２５６】
また選択される背景は、異なる色の同一の柄の背景、異なる色の異なる柄の背景、同一の色の異なる柄の背景などであっても良い。このような背景の再設定は、例えば、携帯端末２がステップＳ５５５以降の処理として行うことが可能である。また、利用者が好みの色や柄を選択できるようにすることで、利用者が例えば、写真シール作成装置１において誤って希望しない背景色や柄を選択してしまったような場合であっっても、利用者が希望する画像を提供することが可能となり、利用者の満足度を向上させることが可能となる。
【０２５７】
ところで、写りアプリケーションをダウンロードする携帯端末２が、写真シール作成装置１の利用者でなくても良い。例えば、友達に写真をあげるといったことも可能であり、このようなときに、友達の携帯端末２に適した色味に変換された端末画像を提供することができるようになる。すなわち本実施の形態においては、携帯端末２の機種に適した画像を提供することが可能であるため、友達同士などの異なる利用者が異なる端末で同一の画像を閲覧したときであっても、それぞれの画像の色味などを同一のものとすることが可能となり、それぞれの携帯端末２の利用者を満足させることが可能となる。
【０２５８】
上述した写りアプリケーションは、単体でも良いし、その他の機能を含むアプリケーション、またはその他のアプリケーションに含まれる１つの機能として提供されるようにすることも可能である。このように構成することで、携帯端末２に応じた写り画像を取得するためだけのアプリケーションをダウンロードするのは、煩わしく感じる利用者もいると想定できるが、その他の機能も備えられたアプリケーションとすることで、そのような煩わしさを感じさせずに、写りアプリケーションをダウンロードさせることができるようになる。
【０２５９】
図２８，図２９のフローチャートを参照して説明した処理においては、管理サーバ２がステップＳ５３７において、携帯端末２に適した写り画像にするために、編集画面用合成用画像を携帯送信用合成用画像に変換し、撮影画像に合成した。この変換と合成の処理は、写りアプリケーションをダウンロードした携帯端末２側で行うようにしても良い。
【０２６０】
上述した実施の形態においては、背景や前景といった合成画像が携帯端末２に適した色味に変換されるとして説明した。背景や前景といった合成画像は、利用者に提供される端末画像の一部分を構成する画像である。すなわち本実施の形態によれば、利用者に提供される端末画像の少なくとも一部分を、携帯端末２に適した色味に変換することができる。このように端末画像の一部分を変換することも可能であるが、全体を変換することも勿論可能である。
【０２６１】
本実施の形態を適用することで、写真シール作成装置１において撮影され、編集された画像を、携帯端末に適した色味の画像とすることができ、利用者の満足度を高めることが可能となる。
【０２６２】
［記録媒体について］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２６３】
上述した一連の処理をプログラムにより実行するコンピュータのハードウエアは、図１１に示した管理サーバ３のような構成とすることが可能である。ＣＰＵ３１１が、例えば、記憶部３１８に記憶されているプログラムを、入出力インタフェース３１５及びバス３１４を介して、ＲＡＭ３１３にロードして実行することにより、上述した一連の処理が行われる。
【０２６４】
コンピュータ（ＣＰＵ３１１）が実行するプログラムは、例えば、パッケージメディア等としてのリムーバブルメディア３１１に記録して提供することができる。また、プログラムは、ローカルエリアネットワーク、インターネット、デジタル衛星放送といった、有線または無線の伝送媒体を介して提供することができる。
【０２６５】
コンピュータでは、プログラムは、リムーバブルメディア３１１をドライブ３２０に装着することにより、入出力インタフェース３１５を介して、記憶部３１８にインストールすることができる。また、プログラムは、有線または無線の伝送媒体を介して、通信部３１９で受信し、記憶部３１８にインストールすることができる。その他、プログラムは、ＲＯＭ３１２や記憶部３１８に、あらかじめインストールしておくことができる。
【０２６６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６７】
また、本明細書において、システムとは、複数の装置により構成される装置全体を表すものである。
【０２６８】
なお、本技術の実施の形態は、上述した実施の形態に限定されるものではなく、本技術の要旨を逸脱しない範囲において種々の変更が可能である。
【符号の説明】
【０２６９】
１  写真シール作成装置，  １１  撮影ユニット，  １２  編集部，  ２０１  制御部，  ２０２  記憶部，  ２８２  撮影処理部，  ２８３  編集処理部，  ２８４  印刷処理部，  ２８５  事後接客処理部
【図１】
0005418586.tif 000002
【図２】
0005418586.tif 000003
【図３】
0005418586.tif 000004
【図４】
0005418586.tif 000005
【図５】
0005418586.tif 000006
【図６】
0005418586.tif 000007
【図７】
0005418586.tif 000008
【図８】
0005418586.tif 000009
【図９】
0005418586.tif 000010
【図１０】
0005418586.tif 000011
【図１１】
0005418586.tif 000012
【図１２】
0005418586.tif 000013
【図１３】
0005418586.tif 000014
【図１４】
0005418586.tif 000015
【図１５】
0005418586.tif 000016
【図１６】
0005418586.tif 000017
【図１７】
0005418586.tif 000018
【図１８】
0005418586.tif 000019
【図１９】
0005418586.tif 000020
【図２０】
0005418586.tif 000021
【図２１】
0005418586.tif 000022
【図２２】
0005418586.tif 000023
【図２３】
0005418586.tif 000024
【図２４】
0005418586.tif 000025
【図２５】
0005418586.tif 000026
【図２６】
0005418586.tif 000027
【図２７】
0005418586.tif 000028
【図２８】
0005418586.tif 000029
【図２９】
0005418586.tif 000030
【図３０】
0005418586.tif 000031